(57)【要約】【課題】  模様テープを簡単にカチューシャ、ブレスレット及び首輪等の帯状装身具に貼り付け、帯状装身具の模様を多彩に変化させることができる帯状装身具用テープ貼付器を提供する。【解決手段】  帯状装身具用テープ貼付器10は、略円弧状に湾曲され可撓性を有する帯状装身具に模様テープを貼付させる帯状装身具用テープ貼付器10であって、本体50は、帯状装身具を挿入可能な挿入口11と、挿入された帯状装身具を所定方向に移動させる回転部51と、挿入された帯状装身具を回転部51とで上下から押圧する押圧ローラ52と、を有し、帯状装身具を本体50の挿入口11に挿入させて、回転部51を回転させることにより、模様テープを前記帯状装身具の表面に貼り付ける【選択図】      図３
2012152233.tif 000002
【特許請求の範囲】
【請求項１】
略円弧状に湾曲され可撓性を有する帯状装身具に模様テープを貼付させる帯状装身具用テープ貼付器であって、
本体は、
前記帯状装身具を挿入可能な挿入口と、
前記挿入された前記帯状装身具を所定方向に移動させる回転部と、
前記挿入された前記帯状装身具を前記回転部とで上下から押圧する押圧ローラと、
を有し、
前記帯状装身具を本体の挿入口に挿入させて、前記回転部を回転させることにより、前記模様テープを前記帯状装身具の表面に貼り付けることを特徴とする帯状装身具用テープ貼付器。
【請求項２】
前記本体に組み込み可能な前記模様テープを収納するテープ保持具を備え、
前記模様テープを収納した前記テープ保持具を前記本体に結合させることを特徴とする請求項１に記載の帯状装身具用テープ貼付器。
【請求項３】
前記模様テープは、前記模様テープと剥離紙からなる帯状装身具用の装飾用テープであることを特徴とする請求項１又は請求項２に記載の帯状装身具用テープ貼付器。
【請求項４】
前記模様テープは、前記模様テープと剥離紙からなる装飾用テープであって、
前記テープ保持具は、
前記装飾用テープの模様テープを案内するガイド板と、
前記装飾用テープの模様テープ及び剥離紙を分離させる分離ガイドと、
前記装飾用テープの剥離された剥離紙を排出させる排出口と、
を有することを特徴とする請求項２に記載の帯状装身具用テープ貼付器。
【請求項５】
前記テープ保持具には、前記装飾用テープを巻いて係止させる巻付軸を備えることを特徴とする請求項４に記載の帯状装身具用テープ貼付器。
【請求項６】
前記テープ保持具には、前記巻付軸に巻いて係止させた前記装飾用テープの剥離した模様テープと剥離紙とを夫々に仮止めさせる突起部を備えることを特徴とする請求項４又は請求項５に記載の帯状装身具用テープ貼付器。
【請求項７】
前記本体には、前記押圧ローラを支持する弾性体を備えることを特徴とする請求項１乃至請求項６の何れかに記載の帯状装身具用テープ貼付器。
【請求項８】
前記回転部には、弾性を有する押圧部を備えることを特徴とする請求項１乃至請求項７の何れかに記載の帯状装身具用テープ貼付器。
【請求項９】
前記帯状装身具がカチューシャであることを特徴とする請求項１乃至請求項８の何れかに記載の帯状装身具用テープ貼付器。
【請求項１０】
前記回転部を手動式又はモータ等による電動式で回転させることを特徴とする請求項１乃至請求項９の何れかに記載の帯状装身具用テープ貼付器。
【発明の詳細な説明】
【技術分野】
【０００１】
本発明は、多彩な模様のテープを簡単に貼り付けることができるカチューシャ、ブレスレットや首輪等の帯状装身具に用いるテープ貼付器に関する。
【背景技術】
【０００２】
従来、頭髪に装着するＣ字型の帯状髪飾りであるカチューシャは、髪をおさえる機能を果たしている。特に、子供の髪飾り等のおしゃれ遊びとして広く普及している。さらに、カチューシャは、デートやパーティー、結婚式などの特別なシチュエーションにおける装いの演出から、日常の生活まで利用でき、一つのアクセサリーとしても機能している。
【０００３】
ただし、カチューシャは、一般的に、購入したユーザーがデザインを自由に変更できるものではなかった。そのため、消費者にとっては、おしゃれに合わせたデザインのカチューシャを何種類も購入しなければならず、あまり経済的でないという問題がある。
【０００４】
そこで特許文献１には、多重組み合わせが可能なカチューシャが開示されている。この特許文献１に記載のカチューシャによれば、色や模様の違う複数本のカチューシャを組み合わせることによって、カチューシャのデザインを変えて楽しむことができる。
【先行技術文献】
【特許文献】
【０００５】
【特許文献１】実用新案登録第３０７０２２０号公報
【発明の概要】
【発明が解決しようとする課題】
【０００６】
しかしながら、特許文献１に記載されたカチューシャは、単体のカチューシャの両端部に凸凹部を有し、この凸凹部を互いに嵌合することにより色や模様の違う複数本のカチューシャを組み合わせて形成するものであり、組み合せに必要となる多くのカチューシャを用意しなければ、デザイン等の変化の幅を広くすることができなかった。
【０００７】
そこで、本発明はこのような従来技術の問題点に鑑みてなされたものであり、模様テープを簡単にカチューシャ、ブレスレット及び首輪等の帯状装身具に貼り付け、帯状装身具の模様を多彩に変化させることができる帯状装身具用テープ貼付器を提供することを目的とする。
【課題を解決するための手段】
【０００８】
請求項１に記載の発明である帯状装身具用テープ貼付器は、略円弧状に湾曲され可撓性を有する帯状装身具に模様テープを貼付させる帯状装身具用テープ貼付器であって、本体は、前記帯状装身具を挿入可能な挿入口と、前記挿入された前記帯状装身具を所定方向に移動させる回転部と、前記挿入された前記帯状装身具を前記回転部とで上下から押圧する押圧ローラと、を有し、前記帯状装身具を本体の挿入口に挿入させて、前記回転部を回転させることにより、前記模様テープを前記帯状装身具の表面に貼り付けることを特徴とする。
【０００９】
請求項２に記載の発明は、請求項１に記載の帯状装身具用テープ貼付器の前記本体に組み込み可能な前記模様テープを収納するテープ保持具を備え、前記模様テープを収納した前記テープ保持具を前記本体に結合させることを特徴とする。
【００１０】
請求項３に記載の発明は、請求項１又は請求項２に記載の帯状装身具用テープ貼付器において、前記模様テープは、前記模様テープと剥離紙からなる帯状装身具用の装飾用テープであることを特徴とする。
【００１１】
請求項４に記載の発明は、請求項２に記載の帯状装身具用テープ貼付器において、前記模様テープは、前記模様テープと剥離紙からなる装飾用テープであって、前記テープ保持具は、前記装飾用テープの模様テープを案内するガイド板と、前記装飾用テープの模様テープ及び剥離紙を分離させる分離ガイドと、前記装飾用テープの剥離された剥離紙を排出させる排出口と、を有することを特徴とする。
【００１２】
請求項５に記載の発明は、請求項４に記載の帯状装身具用テープ貼付器において、前記テープ保持具には、前記装飾用テープを巻いて係止させる巻付軸を備えることを特徴とする。
【００１３】
請求項６に記載の発明は、請求項５に記載の帯状装身具用テープ貼付器において、前記テープ保持具には、前記巻付軸に巻いて係止させた前記装飾用テープの剥離した模様テープと剥離紙とを夫々に仮止めさせる突起部を備えることを特徴とする。
【００１４】
請求項７に記載の発明は、請求項１乃至請求項６の何れかに記載の帯状装身具用テープ貼付器において、前記本体には、前記押圧ローラを支持する弾性体を備えることを特徴とする。
【００１５】
請求項８に記載の発明は、請求項１乃至請求項７の何れかに記載の帯状装身具用テープ貼付器において、前記回転部には、弾性を有する押圧部を備えることを特徴とする。
【００１６】
請求項９に記載の発明は、請求項１乃至請求項８の何れかに記載の帯状装身具用テープ貼付器において、前記帯状装身具がカチューシャであることを特徴とする。
【００１７】
請求項１０に記載の発明は、請求項１乃至請求項９の何れかに記載の帯状装身具用テープ貼付器において、前記回転部を手動式又はモータ等による電動式で回転させることを特徴とする。
【発明の効果】
【００１８】
請求項１に記載の発明によれば、模様テープを簡単にカチューシャ、ブレスレット及び首輪等の帯状装身具に貼り付け、帯状装身具の模様を多彩に変化させることができる帯状装身具用テープ貼付器を提供することができる。
【００１９】
請求項２に記載の発明によれば、本体に組み込み可能な模様テープを収納するテープ保持具を備えることにより、貼付させる模様テープを簡単にセットすることができる。
【００２０】
請求項３に記載の発明によれば、模様テープが模様テープと剥離紙からなる帯状装身具用の装飾用テープであれば、汚したり他に付着させたりすることなく、保管することができる。
【００２１】
請求項４に記載の発明によれば、テープ保持具は、装飾用テープの模様テープを案内するガイド板と、装飾用テープの模様テープ及び剥離紙を分離させる分離ガイドと、装飾用テープの剥離された剥離紙を排出させる排出口と、を有することから、模様テープを正確に帯状装身具に貼り付けることができる。
【００２２】
請求項５に記載の発明によれば、テープ保持具に巻付軸を備えることにより、種々の装飾用テープを容易に巻付軸に巻き付けてテープ保持具に収納することができる。
【００２３】
請求項６に記載の発明によれば、テープ保持具が装飾用テープの剥離した模様テープと剥離紙を夫々に仮止めさせる突起部を備えることにより、装飾用テープをテープ保持具に収納したとき、剥離した模様テープと剥離紙とが付着することを抑止できる。
【００２４】
請求項７に記載の発明によれば、押圧ローラを支持する弾性体を備えることにより、回転部と押圧ローラとの隙間を柔軟に変化させて、厚さの異なる帯状装身具に対応することができる。
【００２５】
請求項８に記載の発明によれば、回転部に押圧部を備えることから、回転部を回転させることにより回転部と押圧ローラとの隙間に挿入された帯状装身具を滑ることなく確実に移動させることができる。
【００２６】
請求項９に記載の発明によれば、帯状装身具としてカチューシャを適用することにより、模様を多彩に変化させることができるカチューシャを作成することができ、おしゃれの変化の幅を広くすることができる。
【００２７】
請求項１０に記載の発明によれば、回転部を手動式又はモータ等による電動式で回転させることにより、模様テープを簡単に前記帯状装身具に貼り付けることができる。
【図面の簡単な説明】
【００２８】
【図１】本発明の実施例に係る帯状装身具用テープ貼付器の斜視図である。
【図２】本発明の実施例に係る帯状装身具用テープ貼付器のテープ保持具を外した状態の斜視図である。
【図３】本発明の実施例に係る帯状装身具用テープ貼付器の正面断面図である。
【図４】本発明の実施例に係る帯状装身具用テープ貼付器のテープ保持具の分解斜視図である。
【図５】本発明の実施例に係るテープ保持具に装飾用テープを巻きつける流れを示す説明図である。
【図６】本発明の実施例に係る帯状装身具用テープ貼付器の本体の分解斜視図である。
【図７】本発明の実施例に係る帯状装身具用テープ貼付器の使用方法の説明図である。
【発明を実施するための形態】
【００２９】
本発明を実施するための形態について述べる。帯状装身具用テープ貼付器10は、粘着層を裏面に有する模様テープ22と剥離紙23からなる装飾用テープ21を巻いた状態で収納するテープ保持具20を備える。また、帯状装身具用テープ貼付器10は、テープ保持具20を組み込み可能な本体50を備える。テープ保持具20は、装飾用テープ21の模様テープ22を案内するガイド板32と、装飾用テープ21の模様テープ22及び剥離紙23を分離させる分離ガイド34と、装飾用テープ21の剥離された剥離紙23を排出させる排出口33と、を有する。本体50は、カチューシャ100等の帯状装身具を挿入可能な挿入口11と、挿入されたカチューシャ100等の帯状装身具を所定方向に移動させる回転部51と、挿入されたカチューシャ100等の帯状装身具を回転部51とで上下から押圧する押圧ローラ52と、を有する。帯状装身具用テープ貼付器10は、装飾用テープ21を収納したテープ保持具20を本体50に結合させ、帯状装身具を本体50の挿入口11に挿入させて、回転部51を回転させることにより、模様テープ22を帯状装身具の表面に貼り付けることができる。
【００３０】
そして、テープ保持具20には、装飾用テープ21を巻いて係止させる巻付軸25を備える。テープ保持具20には、巻付軸25に巻いて係止させた装飾用テープ21の剥離した模様テープ22と剥離紙23とを夫々に仮止めさせる突起部35、36を備える。また、回転部51を手動式又はモータ等による電動式で回転させることとなる。
【００３１】
また、本体50には、押圧ローラ52を支持する弾性体53を備える。そして、回転部51には、弾性を有する押圧部62、64を備える。
【実施例】
【００３２】
以下、本発明の実施例を図に基づいて詳説する。図１は、帯状装身具用テープ貼付器10の斜視図であり、図２は、帯状装身具用テープ貼付器10からテープ保持具20を外した状態を示す斜視図である。また、図３は、帯状装身具用テープ貼付器10の正面断面図である。
【００３３】
なお、帯状装身具用テープ貼付器10は、図１に示す帯状装身具用テープ貼付器10の中央上部に位置する回転部51のつまみのある側を前方とし、反対側を後方とする。また、図１に示す帯状装身具用テープ貼付器10の左側でテープ保持具20が組み込まれる側を入口側とし、帯状装身具用テープ貼付器10の右側を出口側とする。
【００３４】
この帯状装身具用テープ貼付器10は、カチューシャやバンド状ネックレス、ブレスレッドなどの帯状装身具の幅に合せ幅７ｍｍ乃至１３ｍｍ程度の適宜の幅であって、帯状装身具の長さに合せた１０ｍｍ乃至３０ｍｍ程度の模様テープを貼着するものである。
【００３５】
帯状装身具用テープ貼付器10は、図１に示すようにテープ保持具20と本体50とを備える。本体50の中央上部には回転部51を備える。
【００３６】
そして、帯状装身具用テープ貼付器10は、図２に示すようにテープ保持具20を入口側方向に引き出して本体50から取り外すことができる。以下、帯状装身具としてのカチューシャ100に模様テープを貼付する場合について説明する。
【００３７】
帯状装身具用テープ貼付器10は、図３に示すように装飾用テープ21を収納したテープ保持具20を本体50に結合させ、カチューシャ100を本体50の挿入口11に挿入させて、回転部51を回転させることにより、カチューシャ100を回転部51及び押圧ローラ52により押圧させて装飾用テープ21の模様テープをカチューシャ100の表面に巻きつけるようにして貼り付けるものである。なお、本体50の詳細な構成については、分解斜視図を用いて後述する。
【００３８】
先ず、テープ保持具20について図を用いて詳細に説明する。図４は、テープ保持具20の分解斜視図である。
【００３９】
テープ保持具20は、各部が硬質樹脂製であって、図４に示すように正面板20aと背面部材20bとを有し、背面部材20bの中央内部に着脱可能とされた巻付軸25を備える。
【００４０】
正面板20aは、平板状であって、周縁の一部に背面部材20bと嵌合する係止部分を後方に突出させている。そして、正面板20aの中央正面には、巻付軸25の正面部分が露出可能とされる円形窓が形成されている。そして、正面板20aには、装飾用テープ21の模様テープと剥離紙23を分離させる分離ガイド34が形成されている。
【００４１】
背面部材20bは、巻付軸25の収納部材であって、周縁の一部に正面板20aと嵌合する係止部分を有する。そして、背面部材20bの中央正面側には、巻付軸25の背面側に設けた軸に嵌合する軸受け37を有する。また、背面部材20bには、装飾用テープ21を巻付軸25に装着するためのテープ挿入口25cと、装着された装飾用テープ21の模様テープを案内するガイド板32を備える。
【００４２】
そして、背面部材20bには、巻付軸25に巻いて係止させた装飾用テープ21の剥離した模様テープを仮止めさせる突起部である第一突起部35が形成されている。さらに、背面部材20bには、装飾用テープ21の剥離した剥離紙23を仮止めさせる突起部である第二突起部36が形成されている。
【００４３】
巻付軸25には、正面側に装飾用テープ21を巻き付けるためのつまみ部25aと、装飾用テープ21を巻付軸25に巻き付ける時に装飾用テープ21の先端を係止させる係止部25bを備える。
【００４４】
また、背面部材20bと正面板20aとが合体して形成されたテープ保持具20の上部で分離ガイド34の左側には、装飾用テープ21の剥離された剥離紙23を排出させる排出口33が形成される（図２参照）。
【００４５】
ここで、テープ保持具20に装飾用テープ21を装着させる方法について図を用いて説明する。図５は、テープ保持具20の巻付軸25に装飾用テープ21を巻きつける流れを示す説明図である。
【００４６】
図５（ａ）に示すように、テープ保持具20の背面部材20bに格納された巻付軸25の係止部25bが背面部材20bのテープ挿入口25cと合致するように、つまみ部25aを回転させる。そして、予めカチューシャ100の幅及び全長に揃えて所定長にされた所定幅の模様テープ22と剥離紙23からなるカチューシャ用の装飾用テープ21の先端を下側が模様テープ22となるようにテープ挿入口25cから挿入し、巻付軸25の係止部25bに係合させる。次に、図５（ｂ）に示すようにつまみ部25aを時計方向に回転させることにより装飾用テープ21を巻付軸25に巻きつける。
【００４７】
そして、図５（ｃ）に示すように巻きつけた装飾用テープ21後端の模様テープ22と剥離紙23を剥離させ、剥離された装飾用テープ21の模様テープ22の背面側側面の一部を背面部材20bの第一突起部35に仮止めさせて装飾用テープ21の模様テープ22をガイド板32に配置させる。
【００４８】
剥離された剥離紙23は、剥離紙23背面側側面の一部を背面部材20bの第二突起部36に仮止めさせる。そして、正面板20aを嵌合させることにより、図５（ｄ）に示すように装飾用テープ21の剥離紙23が、正面板20aと嵌合されて形成された排出口33から外方に向けて排出されるように配置され、テープ保持具20は、装飾用テープ21が収納された状態となる。
【００４９】
次に、模様テープ22をカチューシャ100の表面に貼付させる本体50が有する機構について図を用いて説明する。図６は、帯状装身具用テープ貼付器10の本体50の分解斜視図である。
【００５０】
帯状装身具用テープ貼付器10の本体50は、内部に回転部51、押圧ローラ52及び弾性体53等を所定の位置に配置させ、前方カバー50aと後方カバー50bとを嵌合させ、螺子等により結合されてなるものである。
【００５１】
前方カバー50aは、硬質樹脂製であって、中央上部に回転部51を露出させる回転窓を形成している。後方カバー50bは、硬質樹脂製であって、正面側内部の中央上部に回転部51を回転可能なように軸支する軸受けを形成している。
【００５２】
また、前方カバー50aと後方カバー50bとの内側には、弾性体53を伸縮可能なように収納させる収納部が形成されている。さらに、前方カバー50aと後方カバー50bとの内側には、押圧ローラ52を支持する支持体を弾性体とともに収納する収納部としての溝70が形成されている。
【００５３】
回転部51は、表面板61、第一押圧部62、中間板63、第二押圧部64及び裏面板65により構成される。
【００５４】
表面板61は、樹脂製であって前方カバー50a側に位置し、回転操作可能なようにつまみを有する。第一押圧部62と第二押圧部64は、弾性を有する樹脂製の押圧部であって、カチューシャ100の内側を上方から押圧するものである。
【００５５】
中間板63は、樹脂製であって、第一押圧部62と第二押圧部64との間に配置される。そして、第一押圧部62及び第二押圧部64によりカチューシャ100の内側を上方から押圧するときに、中間板63が図３に示したカチューシャ100の裏面凸部分101と干渉しないように、中間板63の直径を第一押圧部62及び第二押圧部64よりも小さくして、回転部51の中間板63の周囲に溝状の空間を形成している。
【００５６】
裏面板65は、樹脂製であって後方カバー50b側に位置し、表面板61とあわせて第一押圧部62、中間板63及び第二押圧部64を挟んで螺子等により合体させるものである。
【００５７】
押圧ローラ52は、弾性を有する樹脂製であって、支持体によって回転可能に軸支され、装飾用テープ21の貼付されたカチューシャ100の表面を下方から押圧するものである。
【００５８】
弾性体53は、押圧ローラ52を軸支する支持体を下方から支え、押圧ローラ52を上方に付勢させるものである。そして、弾性体53は、挿入されるカチューシャ100の多様な厚みに対応可能なように、回転部51と押圧ローラ52との隙間を柔軟に変化させるものである。
【００５９】
そして、この本体50に装飾用テープ21を収納したテープ保持具20を結合することにより、図３に示したように装飾用テープ21の模様テープ22が配置されたテープ保持具20のガイド板32は、その先端を押圧ローラ52当接部分に導くように配置されることとなる。
【００６０】
また、本体50に装飾用テープ21を巻きつけたテープ保持具20を本体50に結合することにより、テープ保持具20の排出口33から排出された装飾用テープ21の剥離紙23は、帯状装身具用テープ貼付器10の外方に露出されることとなる。
【００６１】
そして、図７（ａ）に示すように帯状装身具用テープ貼付器10の入口側に位置する挿入口11からカチューシャ100の表面を下方にしてカチューシャ100の先端が挿入されると、先ずテープ保持具20のガイド板32部分に配置された装飾用テープ21の模様テープ22がカチューシャ100先端の表面に当接する。そして、カチューシャ100先端の表面に装飾用テープ21の模様テープ22が貼付され、本体50の回転部51と押圧ローラ52との隙間に導かれて停止することとなる。これにより、カチューシャ100表面への模様テープ22を貼付させる準備が完了となる。
【００６２】
そして、図７（ｂ）に示すように回転部51の表面板61を手動で反時計方向に回転させることにより、カチューシャ100は、回転部51と押圧ローラ52とにより押圧されて模様テープ22がカチューシャ100表面に巻きつくように貼付され、帯状装身具用テープ貼付器10の出口側に移動されて帯状装身具用テープ貼付器10の出口側に位置する排出部から排出される。
【００６３】
なお、回転部51を回転させる方法としては、上述の手動により回転部51の表面板61を反時計方向に回転させる方法に限定されるものではない。例えば、回転部51をモータ等による電動式で反時計方向に回転させる方法でも構わない。即ち、貼付具に電池、開始スイッチ及びモータ等を搭載し、開始スイッチの押下により、回転部51である回転体をモータ等による電動式で反時計方向に回転させて、カチューシャ100表面へ模様テープ22を貼付させる構成にも適用可能である。
【００６４】
また、以上の実施例に限定されるものでなく、装飾用テープを収納するテープ保持具を有さない帯状装身具用テープ貼付器とすることもある。
【００６５】
このテープ保持具を有しない帯状装身具用テープ貼付器は、模様テープを貼付させる帯状装身具及び模様テープと剥離紙からなる装飾用テープを夫々に配置させる本体を備える。そして、本体の中央上部には回転部を備える。
【００６６】
帯状装身具用テープ貼付器は、本体の入口側下方に設けたテープ挿入口から装飾用テープを挿入して、テープ挿入口近傍にあり帯状装身具用テープ貼付器の前後方向に立設させた剥離紙分離軸により装飾用テープを模様テープと剥離紙とに分離させる。
【００６７】
分離させた模様テープは、剥離紙分離軸の下方を通って本体内の下ローラまで通ずるガイドにより下ローラに当接するまで挿入させて停止させる。そして、分離させた剥離紙は、剥離紙分離軸の上方を通って、Ｕターンさせ帯状装身具用テープ貼付器のテープ挿入口側から排出させる。
【００６８】
このような構成とすることにより、装飾用テープを収納するテープ保持具を有さない場合でも、カチューシャ等の帯状装身具を本体の挿入口に挿入させて、回転部を回転させることにより、帯状装身具を回転部及び押圧ローラにより押圧させて装飾用テープの模様テープを帯状装身具の表面に巻きつけることができる。
【００６９】
さらに、表面に模様が描かれてると共に剥離層コートが施されて、剥離紙を有さない裏面が粘着層であるテープが渦巻き状に巻かれた模様テープを用い、その模様テープの所定長さをテープ保持具に収納した帯状装身具用テープ貼付器とすることもある。
【００７０】
渦巻き状に巻かれた模様テープを収納したテープ保持具を本体に結合させ、帯状装身具を本体の挿入口に挿入させて、回転部を回転させることにより、帯状装身具を回転部及び押圧ローラにより押圧させながら、渦巻き状に巻かれた模様テープを引き出して帯状装身具の表面に巻きつけるようにして貼り付けることができる。
【００７１】
このような構成とすることにより、剥離紙を有さない裏面が粘着層であるテープが渦巻き状に巻かれた模様テープを収納するテープ保持具を備える場合でも、カチューシャ等の帯状装身具を本体の挿入口に挿入させて、回転部を回転させることにより、帯状装身具を回転部及び押圧ローラにより押圧させて模様テープを帯状装身具の表面に巻きつけることができる。
【００７２】
また、本発明はカチューシャ100に模様テープ22を貼付させる貼付器として帯状装身具用テープ貼付器10について説明してきたが、これに限定されるものではない。例えば、本発明はブレスレットや首輪等の略円弧状に湾曲され可撓性を有する帯状装身具に模様テープ22を貼付させる帯状装身具用テープ貼付器としても適用可能である。即ち、予め定められた所定範囲の厚み、幅であって可撓性を有する帯状装身具であれば、上述の貼付器において、帯状装身具を本体50の挿入口11に挿入させて、回転部51を回転させることにより、模様テープ22を帯状装身具の表面に巻きつくようにして貼り付けることができる。
【００７３】
以上のように、本発明の実施例によれば、模様テープ22を簡単に帯状装身具に貼り付けることができる帯状装身具用テープ貼付器10を提供することができる。
【００７４】
さらに、本発明の実施例によれば、本体50に組み込み可能な模様テープ22を収納するテープ保持具20を備えることにより、貼付させる模様テープ22を簡単にセットすることができる。
【００７５】
そして、本発明の実施例によれば、模様テープ22が模様テープ22と剥離紙23からなる帯状装身具用の装飾用テープ21であれば、汚したり他に付着させたりすることなく、保管することができる。
【００７６】
また、本発明の実施例によれば、テープ保持具20は、装飾用テープ21の模様テープ22を案内するガイド板32と、装飾用テープ21の模様テープ22及び剥離紙23を分離させる分離ガイド34と、装飾用テープ21の剥離された剥離紙23を排出させる排出口33と、を有することから、模様テープ22を正確に帯状装身具に貼り付けることができる。
【００７７】
また、本発明の実施例によれば、テープ保持具20に着脱可能な巻付軸25を備えることにより、種々の装飾用テープ21を容易に巻付軸25に巻き付けてテープ保持具20に収納することができる。
【００７８】
さらに、本発明の実施例によれば、テープ保持具20には、装飾用テープ21の剥離した模様テープ22と剥離紙23を夫々に仮止めさせる突起部35、36を備えることにより、装飾用テープ21をテープ保持具20に収納したとき、剥離した模様テープ22と剥離紙23とが付着することを抑止できる。
【００７９】
そして、本発明の実施例によれば、押圧ローラ52を支持する弾性体53を備えることにより、回転部51と押圧ローラ52との隙間を柔軟に変化させて、厚さの異なる帯状装身具に対応することができる。
【００８０】
また、本発明の実施例によれば、回転部51が押圧部62、64を備えることから、回転部51を回転させることにより回転部51と押圧ローラ52との隙間に挿入された帯状装身具を滑ることなく確実に移動させることができる。
【００８１】
さらに、本発明の実施例によれば、帯状装身具としてカチューシャ100を適用することにより、カチューシャ100の模様を多彩に変化させることができ、おしゃれの変化の幅を広くすることができる。
【００８２】
また、本発明の実施例によれば、回転部51を手動式又はモータ等による電動式で回転させることにより、模様テープ22を簡単に帯状装身具に貼り付けることができる。
【００８３】
また、本発明は、以上の実施例に限定されるものでなく、発明の要旨を逸脱しない範囲で自由に変更、改良が可能である。
【符号の説明】
【００８４】
10  帯状装身具用テープ貼付器
11  挿入口                          20   テープ保持具
20a 正面板                          20b  背面部材
21  装飾用テープ                    22   模様テープ
23  剥離紙                          25   巻付軸
25a つまみ部                        25b  係止部
25c テープ挿入口
32  ガイド板                        33   排出口
34  分離ガイド                      35   第一突起部
36  第二突起部                      37   軸受け
50  本体
50a 前方カバー                      50b  後方カバー
51  回転部                          52   押圧ローラ
53  弾性体
61  表面板                          62   第一押圧部
63  中間板                          64   第二押圧部
65  裏面板                          70   溝
100 カチューシャ                    101  裏面凸部分
【図１】
2012152233.tif 000003
【図２】
2012152233.tif 000004
【図３】
2012152233.tif 000005
【図４】
2012152233.tif 000006
【図５】
2012152233.tif 000007
【図６】
2012152233.tif 000008
【図７】
2012152233.tif 000009